(57)【要約】      （修正有）【課題】磁界が重ね合わせられた発音装置を提供する。【解決手段】ベース１を含み、前記ベースの内部にトップキャップ２が設けられ、前記トップキャップの頂部に開口３が設けられ、前記開口の内部に蓋板が設けられ、前記蓋板の頂部の表面に音声孔が設けられ、前記蓋板の底部にネジ付き板が設けられ、前記蓋板の底部にキャビティ７が設けられ、前記キャビティの内壁の底部に取付板８が設けられ、前記取り付け板の頂部の表面に第１取付溝９が設けられ、前記第１取付溝の頂部に第１磁石１０が設けられ、前記第１取付溝の内側に第２取付溝１１が設けられる。第１磁石、第２磁石１２及び取付板の設置により、取付板で第１磁石と第２磁石を固定させ、第１磁石と第２磁石との隙間における磁界を重ね合わせることで、小さい体積を維持しながら、磁界の強度を増幅させることができ、更に、電力をより大きくし、感度をより高くする。【選択図】図１
0003223881.tif 000002
【実用新案登録請求の範囲】
【請求項１】
ベース（１）を含む磁界が重ね合わせられた発音装置であって、
前記ベース（１）の内部にトップキャップ（２）が設けられ、前記トップキャップ（２）の頂部に開口（３）が設けられ、前記開口（３）の内部に蓋板（４）が設けられ、前記蓋板（４）の頂部の表面に音声孔（５）が設けられ、前記蓋板（４）の底部にネジ付き板（６）が設けられ、前記蓋板（４）の底部にキャビティ（７）が設けられ、前記キャビティ（７）の内壁の底部に取付板（８）が設けられ、前記取り付け板（８）の頂部の表面に第１取付溝（９）が設けられ、前記第１取付溝（９）の頂部に第１磁石（１０）が設けられ、前記第１取付溝（９）の内側に第２取付溝（１１）が設けられ、前記第２取付溝（１１）の頂部に第２磁石（１２）が設けられ、前記第１磁石（１０）の頂部に第１固定ブロック（１３）が設けられ、前記第２磁石（１２）の頂部に第２固定ブロック（１４）が設けられ、前記取付板（８）の底部に敷板（１５）が設けられることを特徴とする磁界が重ね合わせられた発音装置。
【請求項２】
前記第１磁石（１０）の断面形状は環状になり、前記第１磁石（１０）は第１取付溝（９）と嵌合することを特徴とする請求項１に記載の磁界が重ね合わせられた発音装置。
【請求項３】
前記第２磁石（１２）の形状は円柱体になり、前記第２磁石（１２）は第２取付溝（１１）と嵌合することを特徴とする請求項１に記載の磁界が重ね合わせられた発音装置。
【請求項４】
前記蓋板（４）は開口（３）と嵌合し、前記開口（３）の表面にネジ山が設けられ、前記ネジ山はネジ付き板（６）と嵌合することを特徴とする請求項１に記載の磁界が重ね合わせられた発音装置。
【請求項５】
前記ベース（１）の底部に、ゴム材料で製造された複数の滑り止めブロック（１６）が設けられることを特徴とする請求項１に記載の磁界が重ね合わせられた発音装置。
【請求項６】
前記音声孔（５）は複数あり、前記音声孔（５）の内部に防塵ネット（１７）が設けられることを特徴とする請求項１に記載の磁界が重ね合わせられた発音装置。
【考案の詳細な説明】
【技術分野】
【０００１】
本考案は発音装置分野に関し、特に磁界が重ね合わせられた発音装置に関する。
【背景技術】
【０００２】
電子製品業界の成長に伴い、スマートフォン、パソコンなどのスマート電子製品は人々の日常生活に欠かせないものになっていた。これらの電子製品の出現に伴い、関連付属品も次々と現れてきた。一般的には、イヤホーン、スピーカ等の発音装置が挙げられる。
【０００３】
発音装置が、変わる電流と連通し、電流がコイルに伝送される時に、コイルに、磁石の磁界と相互作用するエネルギーを発生する。このような相互作用はペーパーディスクを振動させる。スピーカのコイルは電流の変化により運動するため、ペーパーディスクもそれに伴って運動する。従って音声を発生する。
【０００４】
現在用いられる発音装置における磁石は磁化を必要とする。同じ材料を使用する場合、磁石の直径が大きいほど、その磁化の程度が十分になり、磁界の強度も高くなるため、発音装置の電力が大きくなり、感度が高くなる。しかしながら、直径の大きい磁石を用いると、発音装置の体積が大きくなるため、使用する上で不便になる。
【０００５】
従って、上記課題を解決するために、磁界が重ね合わせられた発音装置の提出は必要になる。
【考案の概要】
【０００６】
本考案は、磁界が重ね合わせられた発音装置を提供し、第１磁石、第２磁石及び取付板の設置により、取付板で第１磁石と第２磁石を固定させ、第１磁石と第２磁石との隙間における磁界を重ね合わせることで、上記背景技術における課題を解決することを目的とする。
【０００７】
上記目的を達成するために、本考案は下記技術的解決手段を提供する。磁界が重ね合わせられた発音装置であって、該発音装置はベースを含み、前記ベースの内部にトップキャップが設けられ、前記トップキャップの頂部に開口が設けられ、前記開口の内部に蓋板が設けられ、前記蓋板の頂部の表面に音声孔が設けられ、前記蓋板の底部にネジ付き板が設けられ、前記蓋板の底部にキャビティが設けられ、前記キャビティの内壁の底部に取付板が設けられ、前記取り付け板の頂部の表面に第１取付溝が設けられ、前記第１取付溝の頂部に第１磁石が設けられ、前記第１取付溝の内側に第２取付溝が設けられ、前記第２取付溝の頂部に第２磁石が設けられ、前記第１磁石の頂部に第１固定ブロックが設けられ、前記第２磁石の頂部に第２固定ブロックが設けられ、前記取付板の底部に敷板が設けられる。
【０００８】
好ましくは、前記第１磁石の断面形状は環状になり、前記第１磁石は第１取付溝と嵌合する。
【０００９】
好ましくは、前記第２磁石の形状は円柱体になり、前記第２磁石は第２取付溝と嵌合する。
【００１０】
好ましくは、前記蓋板は開口と嵌合し、前記開口の表面にネジ山が設けられ、前記ネジ山はネジ付き板と嵌合する。
【００１１】
好ましくは、前記ベースの底部に、ゴム材料で製造された複数の滑り止めブロックが設けられる。
【００１２】
好ましくは、前記音声孔は複数あり、前記音声孔の内部に防塵ネットが設けられる。
【００１３】
本考案の技術的効果及び利点は以下のとおりである。
１、第１磁石、第２磁石及び取付板の設置により、第１磁石と第２磁石をそれぞれ取付板における第１取付溝と第２取付溝に取り付け、第２磁石を第１磁石の内部に位置させ、第１磁石の磁界のＮ極を上に位置させ、Ｓ極を下に位置させ、第２磁石の磁界のＮ極を下に位置させ、Ｓ極を上に位置させ、第１磁石と第２磁石との隙間において、２つの磁界の重ね合わせ部の磁界方向を同一にすることで、磁界の重ね合わせを実現する。第１磁石の頂部の第１固定ブロック及び第２磁石の頂部の第２固定ブロックで２つの磁石を固定することができる。従って本考案は小さい体積を維持しながら、磁界の強度を増幅させることができる。更に、電力をより大きくし、感度をより高くする。
２、防塵ネット及び滑り止めブロックが設けられる。本考案を用いる時、ベースの底部に、ゴム材料で製造された滑り止めブロックが設けられるため、ゴム材料により、接触面の摩擦係数を増加させ、摩擦力を増加させ、滑り止めの役割を果たす。音声孔の内部に設けられる防塵ネットは、塵埃が音声孔から装置内部に入ることを防止することができる。
【図面の簡単な説明】
【００１４】
図１は本考案の全体構成を示す模式図である。
図２は本考案の平面図である。
図３は本考案のベースの構成を示す平面図である。
図４は本考案の蓋板の構成を示す立体図である。
図５は本考案のベースの構成を示す底面図である。
【考案を実施するための形態】
【００１５】
以下において、本考案の実施例の図面と共に本考案の実施例の技術的解決手段を、明瞭且つ完全に説明する。勿論、説明される実施例は本考案の一部の実施例であり、全ての実施例ではない。本考案の実施例に基づいて、当業者が創造的な労力を要さずに想到しうる他の実施例は、いずれも本考案の技術的範囲に属する。
【００１６】
本考案は図１−５に示すような磁界が重ね合わせられた発音装置を提供する。該装置はベース１を含み、前記ベース１の内部にトップキャップ２が設けられ、前記トップキャップ２の頂部に開口３が設けられ、前記開口３の内部に蓋板４が設けられ、前記蓋板４の頂部の表面に音声孔５が設けられ、前記蓋板４の底部にネジ付き板６が設けられ、前記蓋板４の底部にキャビティ７が設けられ、前記キャビティ７の内壁の底部に取付板８が設けられ、前記取り付け板８の頂部の表面に第１取付溝９が設けられ、前記第１取付溝９の頂部に第１磁石１０が設けられ、前記第１取付溝９の内側に第２取付溝１１が設けられ、前記第２取付溝１１の頂部に第２磁石１２が設けられ、前記第１磁石１０の頂部に第１固定ブロック１３が設けられ、前記第２磁石１２の頂部に第２固定ブロック１４が設けられ、前記取付板８の底部に敷板１５が設けられる。
【００１７】
更に、上記技術的解決手段において、前記第１磁石１０の断面形状は環状になり、前記第１磁石１０は第１取付溝９と嵌合する。従って第２磁石１２を第１磁石１０の内部に配置することができる。
【００１８】
更に、上記技術的解決手段において、前記第２磁石１２の形状は円柱体になり、前記第２磁石１２は第２取付溝１１と嵌合する。従って第２磁石１２を第２取付溝１１内に配置することができる。
【００１９】
更に、上記技術的解決手段において、前記蓋板４は開口３と嵌合し、前記開口３の表面にネジ山が設けられ、前記ネジ山はネジ付き板６と嵌合する。従って蓋板４はネジ付き板６を通して開口３との開閉を実現することができる。
【００２０】
更に、上記技術的解決手段において、前記ベース１の底部に、ゴム材料で製造された複数の滑り止めブロック１６が設けられる。ゴム材料は、接触面の摩擦係数を増加させ、摩擦力を増加させることで、滑り止めの役割を果たすことができる。
【００２１】
更に、上記技術的解決手段において、前記音声孔５は複数あり、音声を複数の音声孔５から送出する。前記音声孔５の内部に防塵ネット１７が設けられ、塵埃が音声孔５から装置内部に入ることを防止する。
【００２２】
本考案の動作原理は以下のとおりである。
図１−４に示すように、本考案を用いる時、第１磁石１０の断面形状が環状になるため、第２磁石１２を第１磁石１０の内部に配置することができる。第１磁石１０は第１取付溝９と嵌合するため、第１磁石１０を第１取付溝９内に取り付けることができる。第２磁石１２の形状は円柱体になり、第２磁石１２は第２取付溝１１と嵌合するため、第２磁石１２を第２取付溝１１内に配置することができる。第１磁石１０と第２磁石１２をそれぞれ取付板８における第１取付溝９と第２取付溝１１に取り付け、第１磁石１０の磁界のＮ極を上に位置させ、Ｓ極を下に位置させ、第２磁石１２の磁界のＮ極を下に位置させ、Ｓ極を上に位置させ、第１磁石１０と第２磁石１２との隙間において、２つの磁界の重ね合わせ部の磁界方向を同一にすることで、磁界の重ね合わせを実現する。第１磁石１０の頂部の第１固定ブロック１３及び第２磁石１２の頂部の第２固定ブロック１４で２つの磁石を固定することができる。また、蓋板４の底部のネジ付き板６を通して開口３に対する開閉を実現する。蓋板４の頂部に設けられる複数の音声孔５は、発生した音声を効果的に送出することができる。従って、本考案は小さい体積を維持しながら、磁界の強度を増幅させることができる。更に、電力をより大きくし、感度をより高くする。
【００２３】
図４−５に示すように、本考案を用いる時、ベース１の底部に、ゴム材料で製造された滑り止めブロック１６が設けられる。ゴム材料は、接触面の摩擦係数を増加させ、摩擦力を増加させることで、滑り止めの役割を果たすことができる。音声孔５の内部に設けられる防塵ネット１７は、塵埃が音声孔５から装置内部に入ることを防止することができる。
【００２４】
最後に指摘しておきたいのは、以上の記載は本考案の好適な実施例に過ぎず、本考案を限定するためのものではなく、前記実施例を参照して本考案について詳細に説明したが、当業者であれば依然として前記各実施例に記載の技術的解決手段を修正し、又はそのうち一部の技術的特徴に対して均等物による置換を行うことができ、本考案の精神及び原則の範囲内に行われるいかなる修正、均等物による置換、改良等も全て本考案の保護範囲内に含まれるということである。
【符号の説明】
【００２５】
１  ベース、２  トップキャップ、３  開口、４  蓋板、５  音声孔、６  ネジ付き板、７  キャビティ、８  取付板、９  第１取付溝、１０  第１磁石、１１  第２取付溝、１２  第２磁石、１３  第１固定ブロック、１４  第２固定ブロック、１５  敷板、１６  滑り止めブロック、１７  防塵ネット
【図１】
0003223881.tif 000003
【図２】
0003223881.tif 000004
【図３】
0003223881.tif 000005
【図４】
0003223881.tif 000006
【図５】
0003223881.tif 000007